【手続補正書】
【提出日】平成16年8月30日(2004.8.30)
【手続補正１】
【補正対象書類名】明細書
【補正対象項目名】特許請求の範囲
【補正方法】変更
【補正の内容】
【特許請求の範囲】
【請求項１】  水性媒体又は湿った媒体中で布類を処理するための組成物中に用いるための、水性媒体又は湿った媒体中の前記組成物の作業条件下において不溶性の少なくとも１種のポリマー（Ｐ）から成るナノ粒子又は前記の少なくとも１種のポリマー（Ｐ）の少なくとも１種のナノラテックスから成る、防しわ及び／又はアイロン掛け補助剤。
【請求項２】  前記ナノ粒子又は前記ナノラテックスが１０〜５００ｎｍのポリマー平均粒子寸法を有することを特徴とする、請求項１に記載の防しわ及び／又はアイロン掛け補助剤。
【請求項３】  前記のナノラテックスが１０〜５０重量％の固体含有率を有することを特徴とする、請求項２に記載の防しわ及び／又はアイロン掛け補助剤。
【請求項４】  前記組成物が
・水中に希釈した後に処理すべき布類と接触せしめられる、固体又は濃厚水性分散体の形；
・水中に希釈する前に処理すべき乾いた布類上に前もって配置される、濃厚分散体の形；
・希釈することなく処理すべき乾いた布類上に直接配置される水性分散体の形、又は処理すべき乾いた布類に直接塗布するための、固体支持体に前記ナノ粒子若しくは前記ナノラテックスを含ませた形；或は
・処理すべき湿った布類と直接接触せしめられる、不溶性固体支持体に前記ナノ粒子又は前記ナノラテックスを含ませた形：
にあることを特徴とする、請求項１〜３のいずれかに記載の防しわ及び／又はアイロン掛け補助剤。
【請求項５】  前記組成物が乾燥重量として表わして０．０５％〜１０％の前記ナノ粒子又は前記ナノラテックスを含むことを特徴とする、請求項１〜４のいずれかに記載の防しわ及び／又はアイロン掛け補助剤。
【請求項６】  前記組成物が
・乾燥重量として表わして０．０５％〜５％の前記ナノ粒子又は前記ナノラテックスを含み、希釈することによって洗浄浴を直接形成することができる固体又は液状洗剤配合物；
・乾燥重量として表わして０．０５％〜３％の前記ナノ粒子又は前記ナノラテックスを含み、希釈することによって濯ぎ及び／又は柔軟仕上げ浴を直接形成することができる液状濯ぎ及び／又は柔軟仕上げ用配合物；
・乾燥重量として表わして０．０５％〜１０％の前記ナノ粒子又は前記ナノラテックスを含み、ドラム式乾燥機中で湿った布類と接触させることが意図される固体材料、特に織物；
・乾燥重量として表わして０．０５％〜１０％の前記ナノ粒子又は前記ナノラテックスを含む水性アイロン掛け用配合物；或は
・乾燥重量として表わして０．０５％〜１０％の前記ナノ粒子又は前記ナノラテックスを含み、前記ナノ粒子又は前記ナノラテックスを含有する又は含有しない洗剤組成物を用いた洗浄操作の前に乾いた布類上に配置させることが意図される事前しみ抜き剤：
であることを特徴とする、請求項１〜５のいずれかに記載の防しわ及び／又はアイロン掛け補助剤。
【請求項７】  前記ポリマー（Ｐ）が
・前記組成物の作業ｐＨにおいて非荷電の又はイオン化不能な疎水性モノマー単位（Ｎ）、
・随意としての、次のモノマー単位：
・・（Ｆ１）前記組成物の作業ｐＨにおいてカチオン性の又はカチオン化可能なモノマー単位；
・・（Ｆ２）前記組成物の作業ｐＨにおいて両性のモノマー単位；
・・（Ｆ３）前記組成物の作業ｐＨにおいてアニオン性の又はアニオン化可能なモノマー単位；
・・（Ｆ４）前記組成物の作業ｐＨにおいて非荷電の又はイオン化不能な親水性のモノマー単位；及び
・・それらの混合物：
から選択される少なくとも１種の親水性モノマー単位（Ｆ）
並びに
・随意としての少なくとも１種の架橋用単位（Ｒ）：
を含むことを特徴とする、請求項１〜６のいずれかに記載の防しわ及び／又はアイロン掛け補助剤。
【請求項８】  前記モノマー単位（Ｎ）及び（Ｆ）がα，β−一エチレン性不飽和モノマーから誘導されたものであり、且つ、随意としての前記モノマー単位（Ｒ）が二エチレン性不飽和モノマーから誘導されたものであることを特徴とする、請求項７に記載の防しわ及び／又はアイロン掛け補助剤。
【請求項９】  前記疎水性単位（Ｎ）が
・ビニル芳香族モノマー、
・α，β−一エチレン性不飽和酸アルキルエステル、
・飽和カルボン酸のビニル若しくはアリルエステル、
・α，β−一エチレン性不飽和ニトリル、又は
・α−オレフィン
から誘導されたものであることを特徴とする、請求項７又は８に記載の防しわ及び／又はアイロン掛け補助剤。
【請求項１０】  前記のカチオン性の又はカチオン化可能な親水性単位（Ｆ１）が
・α，β−一エチレン性不飽和カルボン酸のＮ，Ｎ−（ジアルキルアミノ−ω−アルキル）アミド、
・α，β−一エチレン性不飽和酸アミノエステル、又は
・加水分解によって第１アミン官能基を生じる前駆体であるモノマー
から誘導されたものであることを特徴とする、請求項７〜９のいずれかに記載の防しわ及び／又はアイロン掛け補助剤。
【請求項１１】  前記両性親水性単位（Ｆ２）が
・Ｎ，Ｎ−ジメチル−Ｎ−メタクリロイルオキシエチル−Ｎ−（３−スルホプロピル）アンモニウムスルホベタイン、
・Ｎ，Ｎ−ジメチル−Ｎ−（２−メタクリルアミドエチル）−Ｎ−（３−スルホプロピル）アンモニウムベタイン、
・１−ビニル−３−（３−スルホプロピル）イミダゾリジウムベタイン、１−（３−スルホプロピル）−２−ビニルピリジニウムベタイン、又は
・α，β−エチレン性不飽和カルボン酸Ｎ−（ジアルキルアミノ−ω−アルキル）アミド若しくはα，β−一エチレン性不飽和酸アミノエステルのアルカリ金属クロル酢酸塩若しくはプロパンスルトンによる第四級化反応からの誘導体
から誘導されたものであることを特徴とする、請求項７〜１０のいずれかに記載の防しわ及び／又はアイロン掛け補助剤。
【請求項１２】  前記のアニオン性の又はアニオン化可能な親水性単位（Ｆ３）が
・少なくとも１つのカルボキシル官能基を含有するα，β−一エチレン性不飽和モノマー、
・少なくとも１つのサルフェート若しくはスルホネート官能基を含有するα，β−一エチレン性不飽和モノマー、
・少なくとも１つのホスホネート若しくはホスフェート官能基を含有するα，β−一エチレン性不飽和モノマー、
・上記３種のモノマーの内のいずれかの水溶性塩、又は
・加水分解によってカルボキシル官能基を生じる前駆体であるα，β−一エチレン性不飽和モノマー
から誘導されたものであることを特徴とする、請求項７〜１１のいずれかに記載の防しわ及び／又はアイロン掛け補助剤。
【請求項１３】  前記の非荷電の又はイオン化不能な親水性単位（Ｆ４）が
・α，β−一エチレン性不飽和酸のヒドロキシアルキルエステル、
・α，β−一エチレン性不飽和酸アミド、
・水溶性ポリオキシアルキレン化セグメントを有するα，β−一エチレン性不飽和モノマー、
・重合及び続いての加水分解によってビニルアルコール単位若しくはポリビニルアルコールセグメントを生じる前駆体であるα，β−一エチレン性不飽和モノマー、又は
・メタクリルアミドエチル−２−イミダゾリジノン
から誘導されたものであることを特徴とする、請求項７〜１２のいずれかに記載の防しわ及び／又はアイロン掛け補助剤。
【請求項１４】  架橋用単位（Ｒ）が
・ジビニルベンゼン、
・エチレングリコールジメタクリレート、
・メタクリル酸アリル、
・メチレンビス（アクリルアミド）、
・グリオキサールビス（アクリルアミド）、又は
・ブタジエン
から誘導されたものであることを特徴とする、請求項７〜１３のいずれかに記載の防しわ及び／又はアイロン掛け補助剤。
【請求項１５】  ポリマー（Ｐ）の単位（Ｎ）、（Ｆ）及び（Ｒ）が誘導されるモノマー及びそれらの相対量が、そのポリマー（Ｐ）が−４０℃〜１５０℃のガラス転移温度Ｔｇを有し且つ前記組成物の作業条件下において不溶性のままとなるように選択されることを特徴とする、請求項７〜１４のいずれかに記載の防しわ及び／又はアイロン掛け補助剤。
【請求項１６】  前記ガラス転移温度Ｔｇが−４０〜１００℃の範囲であることを特徴とする、請求項１５に記載の防しわ及び／又はアイロン掛け補助剤。
【請求項１７】  前記ガラス転移温度Ｔｇが−４０〜４０℃の範囲であることを特徴とする、請求項１５に記載の防しわ及び／又はアイロン掛け補助剤。
【請求項１８】  前記ポリマー（Ｐ）の総質量の少なくとも７０％が疎水性単位（Ｎ）から成ること、並びに親水性単位（Ｆ）がポリマー（Ｐ）の総質量の３０％以下を占め且つ架橋用単位（Ｒ）がポリマー（Ｐ）の総質量の２０％以下を占めることを特徴とする、請求項７〜１７のいずれかに記載の防しわ及び／又はアイロン掛け補助剤。
【請求項１９】  前記ポリマー（Ｐ）が非荷電の又はイオン化不能なポリマー（Ｐ１）であり、このポリマー（Ｐ１）が
・疎水性モノマー単位（Ｎ）少なくとも７０重量％；
・随意としての非荷電の又はイオン化不能な親水性モノマー単位（Ｆ４）少なくとも１重量％；
・随意としての非荷電の又はイオン化不能な架橋用単位（Ｒ）２０重量％以下：
を含むことを特徴とする、請求項１８に記載の防しわ及び／又はアイロン掛け補助剤。
【請求項２０】  洗剤配合物、濯ぎ及び／若しくは柔軟仕上げ用配合物、ドラム式乾燥機添加剤、水性アイロン掛け用配合物又は事前しみ抜き剤中に用いるための、請求項１９に記載の防しわ及び／又はアイロン掛け補助剤。
【請求項２１】  前記ポリマー（Ｐ）がアニオン性の又はアニオン化可能な単位を含有ししかしカチオン性の又はカチオン化可能な単位を含有しないポリマー（Ｐ２）であり、このポリマー（Ｐ２）が
・疎水性モノマー単位（Ｎ）少なくとも７０重量％；
・アニオン性の又はアニオン化可能な親水性モノマー単位（Ｆ３）少なくとも１重量％；
・随意としての非荷電の又はイオン化不能な親水性モノマー単位（Ｆ４）２９重量％以下：
を含むことを特徴とする、請求項１８に記載の防しわ及び／又はアイロン掛け補助剤。
【請求項２２】  洗剤配合物、ドラム式乾燥機添加剤、水性アイロン掛け用配合物又は事前しみ抜き剤中に用いるための、請求項２１に記載の防しわ及び／又はアイロン掛け補助剤。
【請求項２３】  前記ポリマー（Ｐ）が両性単位含有ポリマー（Ｐ３）であり、このポリマー（Ｐ３）が
・疎水性モノマー単位（Ｎ）少なくとも７０重量％；
・両性親水性モノマー単位（Ｆ２）少なくとも０．１重量％；
・随意としての非荷電の又はイオン化不能な親水性モノマー単位（Ｆ４）；
・随意としてのカチオン性の又はカチオン化可能な親水性モノマー単位（Ｆ１）：
を含み、
前記の親水性モノマー単位（Ｆ）群が組合せとしてポリマー（Ｐ３）の少なくとも１重量％を占め、カチオン電荷対アニオン電荷のモル比が所望の処理用組成物組成に応じて１／９９〜８０／２０の範囲であることを特徴とする、請求項１８に記載の防しわ及び／又はアイロン掛け補助剤。
【請求項２４】  ドラム式乾燥機添加剤又は水性アイロン掛け用配合物中に用いるための、前記ポリマーのカチオン電荷対アニオン電荷のモル比が１／９９〜８０／２０の範囲である、請求項２３に記載の防しわ及び／又はアイロン掛け補助剤。
【請求項２５】  洗剤配合物、事前しみ抜き剤、ドラム式乾燥機添加剤又は水性アイロン掛け用配合物中に用いるための、前記ポリマーのカチオン電荷対アニオン電荷のモル比が１／９９〜６０／４０の範囲である、請求項２３に記載の防しわ及び／又はアイロン掛け補助剤。
【請求項２６】  前記ポリマー（Ｐ）がカチオン性の又はカチオン化可能な単位及びアニオン性の又はアニオン化可能な単位の両方を含有するポリマー（Ｐ４）であり、このポリマー（Ｐ４）が
・疎水性モノマー単位（Ｎ）少なくとも７０重量％；
・カチオン性の又はカチオン化可能な親水性モノマー単位（Ｆ１）；
・アニオン性の又はアニオン化可能な親水性モノマー単位（Ｆ３）；
・随意としての両性親水性モノマー単位（Ｆ２）；
・随意としての非荷電の又はイオン化不能な親水性モノマー単位（Ｆ４）：
を含み、
前記の親水性モノマー単位（Ｆ）群が組合せとしてポリマー（Ｐ４）の少なくとも１重量％を占め、カチオン電荷対アニオン電荷のモル比が所望の処理用組成物に応じて１／９９〜８０／２０の範囲であることを特徴とする、請求項１８に記載の防しわ及び／又はアイロン掛け補助剤。
【請求項２７】  ドラム式乾燥機添加剤又は水性アイロン掛け用配合物中に用いるための、前記ポリマーのカチオン電荷対アニオン電荷のモル比が１／９９〜８０／２０の範囲である、請求項２６に記載の防しわ及び／又はアイロン掛け補助剤。
【請求項２８】  洗剤配合物、事前しみ抜き剤、ドラム式乾燥機添加剤又は水性アイロン掛け用配合物中に用いるための、前記ポリマーのカチオン電荷対アニオン電荷のモル比が１／９９〜６０／４０の範囲である、請求項２６に記載の防しわ及び／又はアイロン掛け補助剤。
【請求項２９】  前記ポリマー（Ｐ）がカチオン性の又はカチオン化可能な単位を含有ししかしアニオン性の又はアニオン化可能な単位を含有しないポリマー（Ｐ５）であり、このポリマー（Ｐ５）が
・疎水性モノマー単位（Ｎ）少なくとも７０重量％；
・カチオン性の又はカチオン化可能な親水性モノマー単位（Ｆ１）少なくとも１重量％；
・随意としての非荷電の又はイオン化不能な親水性モノマー単位（Ｆ４）２０重量％以下：
を含むことを特徴とする、請求項１８に記載の防しわ及び／又はアイロン掛け補助剤。
【請求項３０】  洗剤配合物、濯ぎ及び／若しくは柔軟仕上げ用配合物、ドラム式乾燥機添加剤、水性アイロン掛け用配合物又は事前しみ抜き剤中に用いるための、請求項２９に記載の防しわ及び／又はアイロン掛け補助剤。
【請求項３１】  請求項１〜３０のいずれかに記載の防しわ及び／又はアイロン掛け補助剤を含む組成物を用いて水性媒体又は湿った媒体中で布類を処理することによる、布類に防しわ特性を与えるため及び／又は布類のアイロン掛けを容易にするための方法。
【請求項３２】  請求項２３に記載の防しわ及び／又はアイロン掛け補助剤を含む、布類のアイロン掛け用の水性配合物。
【請求項３３】  請求項２３に記載の防しわ及び／又はアイロン掛け補助剤を含む、布類用のドラム式乾燥機添加剤。
【請求項３４】  請求項２５に記載の防しわ及び／又はアイロン掛け補助剤を含む、布類洗浄用の洗剤配合物。
【請求項３５】  請求項２５に記載の防しわ及び／又はアイロン掛け補助剤を含む、布類用事前しみ抜き剤。